(57)【要約】【課題】  外観は旧来のゼンマイ駆動オルゴールと変わることなく、機能的には電動オルゴールの優れた操作性を有するオルゴールを提供すること。【解決手段】  香箱１８の軸受穴１９に支持されている回転ドラム体３により弾かれる弁を有する振動板２と、前記回転ドラム体３を減速歯車列２５を介して駆動するモータ１５と、前記回転ドラム体３の回転位置を検知して作動するスイッチ２１と、前記香箱１８、回転ドラム体３、振動板２、減速歯車列２５、スイッチ２１及びモータ１５を支持するフレーム１とを有する電動オルゴールにおいて、前記モータ１５を前記フレーム１の下部に配置し、前記スイッチ２１を前記香箱１８の内部に収納し、突起２０をドラム歯車５に設置したピン２３で作動させてオルゴールの演奏開始及び停止を制御する。【選択図】図１
2010044338.tif 000002
【特許請求の範囲】
【請求項１】
香箱の側穴に支持されている回転ドラムにより弾かれる弁を有する振動板と、前記回転ドラム体を減速歯車列を介して駆動するモータと、前記回転ドラムの回転位置を検知して作動するスイッチと、前記香箱、回転ドラム体、振動板、減速歯車列、スイッチ及びモータを支持するフレームとを有する電動オルゴールにおいて、
前記電動モータを前記フレームの下部に配置し、前記スイッチを前記香箱の内部ニ収納したことを特徴とする電動オルゴール。
【発明の詳細な説明】
【技術分野】
【０００１】  本考案は、振動板の弁を弾く回転ドラムを、減速歯車列を介してモータにより駆動する電動オルゴールに関する。
【背景技術】
【０００２】  モータにより駆動される電動オルゴールは、旧来から生産されているゼンマイ駆動式のオルゴールにおけるゼンマイの代わりにモータを取付けたものであるが、モータやスイッチは通常、むき出し状態でフレームの上部に設置され、減速歯車列もゼンマイ駆動オルゴールとは相違している（特開平７−３０２０７７）。
【発明が解決しようとする課題】
【０００３】  オルゴールのルーツは時計と同じくゼンマイ駆動式であり、現在でも外観を含めてオルゴールはゼンマイ駆動式であるべきであるという根強い拘りが残っており、特に中高級機種においてこの傾向が強い。しかし、ゼンマイ駆動式の場合は、一杯に巻上げても演奏時間は３〜５分程度で終わってしまう。更にゼンマイを巻上げるには相当な力が必要で、子供やお年寄りには優しくない商品となっている。更にストッパも機械式に限定されてしまう。一方、電動オルゴールの場合は、ゼンマイを巻上げる必要が無いだけでなく、ストッパが電気制御可能な為、センサやリモコンが使用できるので、壁掛けオルゴールやタイマー機能付オルゴールなど用途展開の幅が飛躍的に向上するという特徴をもっている。上記の理由により、外観はゼンマイ駆動オルゴールと同じで、機能のみを電動化したオルゴールが必要とされる。
【０００４】  そこで本発明は、このような点に鑑みてなされたものであり、その目的は、旧来のゼンマイ駆動オルゴールの外観をそのまま残し、機能的には操作性などに優れる電動オルゴールを提供する事にある。
【課題を解決する為の手段】
【０００５】以上のような課題を解決するために、本発明は、以下のものを提供する。
【０００６】  香箱の軸受穴に支持されている回転ドラム体により弾かれる弁を有する振動板と、前記回転ドラム体を減速歯車列を介して駆動するモータと、前記回転ドラム体の回転位置を検知して作動するスイッチと、前記香箱、回転ドラム体、振動板、減速歯車列、スイッチ及びモータを支持するフレームとを有する電動オルゴールにおいて、前記モータを前記フレームの下部に配置し、前記スイッチを前記香箱の内部に収納する。
【発明の効果】
【０００７】  本発明によれば、駆動用のモータがフレーム下部に支持され且つ、ドラムの位置を検知するスイッチが香箱の内部に収納されている為、外観は旧来のゼンマイ駆動オルゴールと変わることなく、機能的には電動オルゴールの優れた操作性を有するオルゴールの生産が実現可能となる。
【発明を実施するための最良の形態】
【０００９】  以下、本発明に関するオルゴール装置の最良の形態について、図面を参照しながら説明する。図１〜４は、本考案のオルゴール装置の一実施形態を示す説明図である。【００１０】  図１において、符号３はフレーム１に両端の軸を回転自在に支持された回転ドラム体を、３は回転ドラム体により弾かれる多数の弁を有する振動板をそれぞれ示す。振動板２は、ねじ４でフレーム１に固定されている。【００１１】  図１，３で示すように、回転ドラム体３は片側を香箱１８の側面に設けられた軸受穴１９に回転自在に保持され、更に回転ドラム体３と一体にドラム歯車５が固定されており、このドラム歯車５は減速歯車列のピニオン６と噛合っている。【００１２】  図２で示すように、減速歯車列１４は、ピニオン６と一体固定された歯車７、更に歯車７と噛合うピニオン８、及びピニオン８と一体固定され、ウォーム１０と噛合うウォーム歯車９によって構成されている。又各歯車７，９及び各ピニオン６，８は、それらの軸の両端を支持部材１１の軸受部１２ａ，１２ｂ，１３により回転自在に支持されている。【００１３】  フレーム１の下面には、モータ１５が配置されている。モータ１５はウォーム１０とモータを一体固定するジョイント１６とによって構成され、フレームとはスペーサ１７を解してねじ１４で固定されている。【００１４】    更に、フレーム１の上面で且つ、香箱１８の中空部２４には、突起２０を有するスイッチ２１がねじ２２により一体固定されている。更にドラム歯車５に設けられたピン２３は、回転ドラム体３が回転して曲の演奏が終了すると、図４で示すように、突起２０と係合してスイッチ２１を作動させる。
［駆動作動の説明］【００１５】  次に動作について説明する。外部より電源供給を受けたモータ１５が作動し、モータ１５に固定されているウォーム１０が回転すると、減速歯車列２５を通してドラム歯車５及び回転ドラム体３がする事により、多数の弁を有する振動板２が弾かれオルゴールが鳴奏する。回転ドラム体が１回転して曲の演奏が終了すると。ドラム歯車５に設けられたピン２３と突起２０が係合する事によりスイッチ２１が作動し（図４参照）、外部よりの電源供給が絶たれ、モータ１５が停止する。更に図示しないスイッチにより、再び電源が供給されるとピン２３と突起２０の係合が解除され、モータが作動しオルゴールの演奏が再開される。
【発明を実施するための最良の形態】
【００１６】  本考案によれば、モータがフレームの下部に、スイッチが香箱の内部に収納された状態で設置されているので、外からはモータ及びスイッチが見えることはない。更にスイッチとスイッチを作動させるピンが近接しているので、ゼンマイ式のオルゴールと比較してもストッパの構造をシンプルにする事ができる。この結果、外観は旧来のゼンマイ駆動オルゴールと変わることなく、機能的には電動オルゴールの優れた操作性を有するオルゴールの生産が実現可能となる。
【図面の簡単な説明】
【００１７】
【図１】  本発明に係る電動オルゴールの実施例を示す断面側面図である。
【図２】  同実施例における減速歯車列の平面図である。
【図３】  同実施例における電動オルゴールの平面図である。
【図４】  同実施例におけるスイッチの動作説明図である。
【符号の説明】
【００１８】    １  フレーム
２  振動板
３  回転ドラム体
４  ねじ
５  ドラム歯車
６  ピニオン
７  歯車
８  ピニオン
９  ウォーム歯車
１０  ウォーム
１１  支持部材
１２ａ  軸受部
１２ｂ  軸受部
１３  軸受部
１４  ねじ
１５  モータ
１６  ジョイント
１７  スペーサ
１８  香箱
１９  軸受穴
２０  突起
２１  スイッチ
２２  ねじ
２３  ピン
２４  中空部
２５  減速歯車列
【図１】
2010044338.tif 000003
【図２】
2010044338.tif 000004
【図３】
2010044338.tif 000005
【図４】
2010044338.tif 000006